(57)【要約】【課題】高周波変換部と制御部との間の電磁的な遮蔽をきわめて簡単な構成で達成する。【解決手段】電磁的な遮蔽手段であるプリント基板２５は、電気的な絶縁材製の絶縁板２６の一方の面の全面に銅箔２７を形成して構成されており、これは市販品として供されているものである。そして、このプリント基板２５は、前記上側の絶縁箱１２の内部底部に、その銅箔２７面が高周波変換部１７と反対側になるように、この場合、銅箔２７面が下面となるように配設されている。このプリント基板２５は前記上側の絶縁箱１２の内部底部のほぼ全面にわたって配設されている。【選択図】　図１
2004087186.tif 000002
【特許請求の範囲】
【請求項１】
加熱コイルに高周波電流を流す高周波変換回路を有する高周波変換部と、
この高周波変換部と離間されて設けられ、前記高周波変換回路を制御する制御回路を有する制御部とを備えたものにおいて、
前記高周波変換部と制御部とをそれぞれ絶縁箱に収容してその絶縁箱を上下に重ねた形態とし、且つ、高周波変換部と制御部との間に、これらを遮るように、絶縁板の一面に銅箔を形成して成るプリント基板を配設したことを特徴とする誘導加熱調理器。
【請求項２】
プリント基板は、その銅箔面が高周波変換部と反対側になるように配設されていることを特徴とする請求項１記載の誘導加熱調理器。
【請求項３】
プリント基板は、下側の絶縁箱の上端部に該上端部より上方へ突出しない形態でほぼ水平向きに係止されて上側の絶縁箱により上方へ抜け止めされて配設されていることを特徴とする請求項１記載の誘導加熱調理器。
【請求項４】
プリント基板は、上側の絶縁箱の内部底部に、銅箔面が下面となるように配設されていることを特徴とする請求項１記載の誘導加熱調理器。
【発明の詳細な説明】
【０００１】
【発明の属する技術分野】
本発明は、高周波変換部とこの高周波変換部を制御する制御部とを磁気的に遮蔽する手段を備えた誘導加熱調理器に関する。
【０００２】
【発明が解決しようとする課題】
従来より、誘導加熱調理器においては、加熱コイルと、これに高周波電流を流す高周波変換回路を有する高周波変換部と、この高周波変換基板と離間されて設けられ、前記高周波変換回路を制御する制御回路を有する制御部とを備えて構成される。そして、前記加熱コイルにより鉄製あるいはステンレス製といった磁性材製の鍋を誘導加熱して鍋内の被調理物を加熱調理するようにしている。
【０００３】
ところで、上記高周波変換部は、高い周波数でスイッチングされるスイッチング素子を備えており、このスイッチングにより電磁ノイズが発生し、マイコンなどからなる制御回路に影響を及ぼす。
【０００４】
この対策として、例えば特許第２８１２３２３号公報に示されるように電磁的な遮蔽手段を設けたものがある。図６及び図７には、その構成を概略的に示している。下部筐体１ａには、スイッチング素子などを有する高周波変換部２が設けられ、上部筐体１ｂにはこの高周波変換部２を制御するマイコンなどからなる制御部３が設けられ、そして、両者間には電磁的な遮蔽手段である遮蔽部材４が介在されている。
【０００５】
この遮蔽部材４は扁平な中空状に形成された導電材５の内部に絶縁材６を充填して構成されている。しかしながら、この構成では、製作が複雑且つ面倒であり、製作コストが高いといった欠点がある。
【０００６】
本発明は上記事情に鑑みてなされたものであり、その目的は、高周波変換部と制御部との間の電磁的な遮蔽をきわめて簡単な構成で達成できて、製作性の向上を図り得、コストの低廉化に寄与できる誘導加熱調理器を提供するにある。
【０００７】
【課題を解決するための手段】
請求項１の発明は、加熱コイルに高周波電流を流す高周波変換回路を有する高周波変換部と、
この高周波変換部と離間されて設けられ、前記高周波変換回路を制御する制御回路を有する制御部とを備えたものにおいて、
前記高周波変換部と制御部とをそれぞれ絶縁箱に収容してその絶縁箱を上下に重ねた形態とし、且つ、高周波変換部と制御部との間に、これらを遮るように、絶縁板の一面に銅箔を形成して成るプリント基板を配設したところに特徴を有する。
【０００８】
プリント基板は電気絶縁板の一面に銅箔を形成して構成されていて、廉価な市販品として供されている。
この請求項１の発明においては、高周波変換部と制御部との間を電磁的に遮蔽する手段としてプリント基板を設けたから、廉価な市販品として供されているプリント基板を使用でき、わざわざ電磁遮蔽構成物を製作する必要がなく、所望の形状にカットするだけでよく、もって、高周波変換部と制御部との間の電磁的な遮蔽をきわめて簡単な構成で達成できて、製作性の向上を図り得、コストの低廉化に寄与できるものである。
【０００９】
請求項２の発明は、プリント基板が、その銅箔面が高周波変換部と反対側になるように配設されているところに特徴を有する。これによれば、プリント基板の銅箔面が高周波変換部に直接臨む構成とは違って、高周波変換部と銅箔面との絶縁距離がプリント基板の絶縁板分だけ遠くでき、しかも高周波変換部と銅箔面との間に上記絶縁板が介在するから、良好な電気的絶縁を確保できる。
【００１０】
請求項３の発明は、プリント基板が、下側の絶縁箱の上端部に該上端部より上方へ突出しない形態でほぼ水平向きに係止されて上側の絶縁箱により上方へ抜け止めされて配設されているところに特徴を有する。これによれば、上下の絶縁箱を利用してプリント基板を配設できて取り付け構成の簡単化を図ることができ、さらにはプリント基板が下側の絶縁箱の上端部から突出しないから、上下方向に大きくなることも防止できる。
【００１１】
請求項４の発明は、プリント基板が、上側の絶縁箱の内部底部に、銅箔面が下面となるように配設されているところに特徴を有する。これによれば、銅箔の上部にはプリント基板自身の絶縁板が存し、下部には絶縁箱底部が存するから、銅箔が上下から絶縁材で挟まれた形態となり、電気的絶縁性が向上する。
【００１２】
【発明の実施の形態】
以下、本発明の第１の実施例につき図１を参照して説明する。筐体１１の内部には電気絶縁材からなる絶縁箱１２、１３が上下に重ねられて配設されている。この絶縁箱１２、１３はいずれも、上面が開放した容器箱状をなしている。そして、上側の絶縁箱１２の上端部にはコイルベース１４が配設されており、このコイルベース１４上面には加熱コイル１５が配設されている。
そして、この加熱コイル１５の上方を覆うようにして、鍋載置板である例えば耐熱ガラス製のトッププレート１６が前記外部筐体１１上端に取り付けられている。
【００１３】
上側の絶縁箱１２の内部には、高周波変換部１７が収容配設されている。この高周波変換部１７は、商用交流電源を直流化する直流電源回路、この直流電源回路から直流電力が与えられて前記加熱コイル１５に高周波電流を流す高周波変換回路（インバータ回路）を備えて構成されており、それらの回路の電装品群１８（電気部品及び電子部品並びに放熱部材など）が高周波変換部回路基板１９に搭載されている。上記高周波変換回路は高速でスイッチングされるスイッチング素子を備えて構成されている。このスイッチングにより前記加熱コイル１５に高周波電流を流すようになっている。上記高周波変換部回路基板１９は、スペーサ兼用の取付部材２０により、絶縁箱１２の底面から若干浮かせた形態に配設されている。
【００１４】
下側の絶縁箱１３の内部には制御部２１が収容配設されている。この制御部２１は前記高周波変換回路のスイッチング素子をオンオフ制御するための電装品群２２（マイコンや、その他の電子部品）を、制御部回路基板２３に搭載して構成されている。上記制御部回路基板２３はスペーサ兼用の取付部材２４により、絶縁箱１３の底面から若干浮かせた形態に配設されている。
【００１５】
さて、電磁的な遮蔽手段であるプリント基板２５は、電気的な絶縁材製の絶縁板２６の一方の面の全面に銅箔２７を形成して構成されており、これは市販品として供されているものである。そして、このプリント基板２５は、前記上側の絶縁箱１２の内部底部に、その銅箔２７面が高周波変換部１７と反対側になるように、この場合、銅箔２７面が下面となるように配設されている。このプリント基板２５は前記上側の絶縁箱１２の内部底部のほぼ全面にわたって配設されている。
【００１６】
上記構成において、上記高周波変換部１７が備えたスイッチング素子がスイッチングされると、このスイッチングにより電磁ノイズが発生するが、マイコンなどからなる制御部２１に対しては、プリント基板２５によりその電磁ノイズが遮蔽される。
【００１７】
このような本実施例によれば、高周波変換部１７と制御部２１との間を電磁的に遮蔽する手段としてプリント基板２５を設けたから、廉価な市販品として供されているプリント基板２５を使用でき、わざわざ電磁遮蔽構成物を製作する必要がなく、所望の形状にカットするだけでよく、もって、高周波変換部１７と制御部２１との間の電磁的な遮蔽をきわめて簡単な構成で達成できて、製作性の向上を図り得、コストの低廉化に寄与できる。
【００１８】
また、プリント基板２５を、その銅箔２７面が高周波変換部１７と反対側になるように配設したから、プリント基板２５の銅箔２７面が高周波変換部１７に直接臨む構成とは違って、高周波変換部１７と銅箔２７面との絶縁距離がプリント基板２５の絶縁板２６分だけ距離的に遠くでき、しかも高周波変換部１７と銅箔２７面との間に上記絶縁板２６が介在するから、良好な電気的絶縁を確保できる。
【００１９】
さらに、プリント基板２５を、上側の絶縁箱１２の内部底部に、銅箔２７面が下面となるように配設したから、銅箔２７の上部にはプリント基板２５自身の絶縁板２６が存し、下部には絶縁箱１２底部が存するから、銅箔２７が上下から絶縁材で挟まれた形態となり、電気的絶縁性が向上する。
【００２０】
図２は本発明の第２の実施例を示しており、この実施例ではプリント基板２５の配設箇所及配設構成が異なる。すなわち、下側の絶縁箱１３の上端部内周縁にはほぼプリント基板２５の板厚と同等の高さの切欠き状の段部３１が形成されており、プリント基板２５は、その外周縁部がこの段部３１にほぼ合致する大きさ・形状にカットされており、この段部３１にプリント基板２５の全周縁部を嵌合配置し、その上から上側の絶縁箱１２を下側の絶縁箱１３に載せた構成としている。この結果、プリント基板２５が、下側の絶縁箱１３の上端部に該上端部より上方へ突出しない形態でほぼ水平向きに係止されて上側の絶縁箱１２により上方へ抜け止めされて配設されている。
【００２１】
この第２の実施例によれば、上下の絶縁箱１２，１３を利用してプリント基板２５を配設できて取り付け構成の簡単化を図ることができ、さらにはプリント基板２５が下側の絶縁箱１３の上端部から突出しないから、上下方向に大きくなることも防止できる。
【００２２】
なお、本発明の第３の実施例として示す図３及び図４のようにプリント基板２５を配設する構成としても良い。すなわち、プリント基板２５の各辺に例えば２個づつ被係止片３２を突設し、下側の絶縁箱１３の上端部にこの被係止片３２と対応する配置関係で係止溝３３を形成している。この係止溝３３の深さはプリント基板２５の板厚とほぼ同じである。そして各被係止片３２を係止溝３３に嵌合係止させた構成としている。このような第３の実施例においても第２の実施例と同様の効果を得ることができる。
【００２３】
図５は本発明の第４の実施例を示しており、この実施例においては、高周波変換部１７を下側の絶縁箱１３内に収容配設し、制御部２１を上側の絶縁箱１２に収容配設した点が第１の実施例と異なる。この実施例においても第１の実施例と同様の効果を得ることができる。なお、この第４の実施例において、プリント基板２５の配設構成は第２の実施例（図２）あるいは第３の実施例（図３、図４）の構成としても良い。
【００２４】
【発明の効果】
本発明は以上の説明から明らかなように、高周波変換部と制御部との間の電磁的な遮蔽をきわめて簡単な構成で達成できて、製作性の向上を図り得、コストの低廉化に寄与できるという優れた効果を得ることができる。
【図面の簡単な説明】
【図１】本発明の第１の実施例を示す全体の縦断正面図
【図２】本発明の第２の実施例を示す全体の縦断正面図
【図３】本発明の第３の実施例を示す全体の縦断正面図
【図４】図３のＸ−Ｘ線に沿う横断平面図
【図５】本発明の第４の実施例を示す全体の縦断正面図
【図６】従来例を示す図１相当図
【図７】遮蔽部材の部分的な縦断正面図
【符号の説明】
１１は外部筐体、１２，１３は絶縁箱、１５は加熱コイル、１７は高周波変換部、１９は高周波変換部回路基板、２１は制御部、２３は制御部回路基板、２５はプリント基板、２６は絶縁板、２７は銅箔、３１は段部、３２は被係止片、３３は係止溝を示す。
【図１】
2004087186.tif 000003
【図２】
2004087186.tif 000004
【図３】
2004087186.tif 000005
【図４】
2004087186.tif 000006
【図５】
2004087186.tif 000007
【図６】
2004087186.tif 000008
【図７】
2004087186.tif 000009